(57)【要約】      （修正有）【課題】立体的で複雑で、強加圧の揉みほぐし効果を十分に得ることのできる一対の揉み玉及び当該一対の揉み玉を備えたマッサージ装置を提供する。【解決手段】マッサージ装置において用いられ、駆動手段により回転する回転台２上に取り付けられた一対の揉み玉１であって、当該一対の揉み玉１は、回転台２上にＶ字状に傾斜して突設された一対の支柱３の先端に、夫々偏心して回転自在に取り付けられており、回転台２の回転によって当該一対の揉み玉１が回転運動するだけでなく、使用者の身体表面に一対の揉み玉１の右揉み玉１ａ又は左揉み玉１ｂが接触した際に、偏心回転による上下運動をも行う。【選択図】図５
0003188515.tif 000002
【実用新案登録請求の範囲】
【請求項１】
マッサージ装置において用いられ、駆動手段により回転する回転台上に取り付けられた一対の揉み玉であって、
前記一対の揉み玉は、両者とも球形又は楕円球形に形成されているか、或いは、球形と楕円球形との組み合わせで形成されており、前記回転台上に正面視でＶ字状に傾斜して突設された一対の支柱の先端に夫々取り付けられていることを特徴とする一対の揉み玉。
【請求項２】
前記一対の揉み玉は、前記回転台上に正面視でＶ字状に傾斜して突設された一対の支柱の先端に、夫々回転自在に取り付けられていることを特徴とする請求項１に記載の一対の揉み玉。
【請求項３】
前記一対の揉み玉は、前記回転台上に正面視でＶ字状に傾斜して突設された一対の支柱の先端に、夫々偏心して回転自在に取り付けられていることを特徴とする請求項２に記載の一対の揉み玉。
【請求項４】
前記夫々の支柱に偏心して回転自在に取り付けられた一対の揉み玉の偏心幅は、１ｍｍ〜５ｍｍであることを特徴とする請求項３に記載の一対の揉み玉。
【請求項５】
前記一対の揉み玉は、側面視でも前記回転台の表面に対して傾斜して突設された一対の支柱の先端に取り付けられていることを特徴とする請求項１乃至４に記載の一対の揉み玉。
【請求項６】
前記一対の揉み玉の傾斜角は、前記回転台の表面に対して４５°〜９０°であることを特徴とする請求項５に記載の一対の揉み玉。
【請求項７】
前記一対の揉み玉は、前記回転台の表面から高低差を設けて取り付けられていることを特徴とする請求項１乃至６のいずれかに記載の一対の揉み玉。
【請求項８】
前記一対の揉み玉の前記回転台の表面からの高低差は、１〜１０ｍｍであることを特徴とする請求項７に記載の揉み玉。
【請求項９】
前記一対の揉み玉は、大小一対の大揉み玉及び小揉み玉からなることを特徴とする請求項１乃至８のいずれかに記載の揉み玉。
【請求項１０】
前記大揉み玉の直径は４０ｍｍであり、小揉み玉の直径は３０ｍｍであることを特徴とする請求項９に記載の一対の揉み玉。
【請求項１１】
前記一対の揉み玉は、夫々の頂点の前記回転台の回転によって取る円運動の軌跡が前記回転台の軸心から径方向に異なるように内径側揉み玉及び外径側揉み玉として取り付けられていることを特徴とする請求項１乃至１０のいずれかに記載の一対の揉み玉。
【請求項１２】
前記回転台の軸心からの一対の揉み玉の頂点までの径は、内径側揉み玉が半径１５〜５５ｍｍであり、外径側揉み玉が半径２０〜６０ｍｍであり、外径側揉み玉の方が内径側揉み玉よりも前記回転台の軸心に対して外側に取り付けられていることを特徴とする請求項１１に記載の揉み玉。
【請求項１３】
前記一対の揉み玉の表面は、クロムメッキ加工されていることを特徴とする請求項１乃至１２のいずれかに記載の一対の揉み玉。
【請求項１４】
請求項１乃至１３に記載の一対の揉み玉を備えたことを特徴とするマッサージ装置。
【考案の詳細な説明】
【技術分野】
【０００１】
本考案は、マッサージ装置において用いられる一対の揉み玉及び当該一対の揉み玉を備えたマッサージ装置に関する。
【背景技術】
【０００２】
近年、自宅や職場環境など、パソコンや携帯電話の普及率が高まり、その使用時間が長くなるに従って肩こりに悩む人が多くなっている。そのため、そのような肩こり等の身体的疾患を患った身体の疲れを癒すべく、種々の揉みほぐし効果のあるマッサージ装置が提供されている。
【０００３】
例えば、従来、本願出願人より、回転台の上面に大小一対の大揉み玉及び小揉み玉を突設し、夫々回転することにより、当該大小一対の揉み玉が使用者の体表面に対してマッサージするマッサージ装置が提供されている（特許文献１）。
【先行技術文献】
【特許文献】
【０００４】
【特許文献１】実用新案登録第３１７５２０６号公報
【考案の概要】
【考案が解決しようとする課題】
【０００５】
しかしながら、特許文献１に記載のマッサージ装置の揉み玉は、大小一対の揉み玉が回転台の上面に単に平面的に取り付けられているため、当該一対の揉み玉が一定の高さ及び範囲でしか回転運動せず、立体的で複雑な揉みほぐし効果を十分には得ることはできないという問題があった。
【０００６】
また、当該マッサージ装置の揉み玉は、半球形状に形成されているため、当該揉み玉を傾斜させて回転台の表面に取り付けた場合等には、揉み玉側面によるマッサージを使用者の身体表面に十分には施術することができず、使用者が欲するような変化のある強加圧の揉みほぐし効果を得ることができないという問題があった。
【０００７】
そこで、本考案は、立体的で複雑な、且つ、変化のある強加圧の揉みほぐし効果を十分に得ることのできる一対の揉み玉及び当該一対の揉み玉を備えたマッサージ装置を提供することを課題とする。
【課題を解決するための手段】
【０００８】
上記課題を解決するために、本考案は次のように構成した。すなわち、本考案に係る請求項１に記載の一対の揉み玉は、マッサージ装置において用いられ、駆動手段により回転する回転台上に取り付けられた一対の揉み玉であって、両者とも球形又は楕円球形に形成されているか、或いは、球形と楕円球形との組み合わせで形成されており、前記回転台上に正面視でＶ字状に傾斜して突設された一対の支柱の先端に夫々取り付けられていることを特徴としている。
【０００９】
また、前記請求項２に記載の一対の揉み玉は、前記回転台上に正面視でＶ字状に傾斜して突設された一対の支柱の先端に、夫々回転自在に取り付けられていることを特徴としている。
【００１０】
また、請求項３に記載の一対の揉み玉は、前記回転台上に正面視でＶ字状に傾斜して突設された一対の支柱の先端に、夫々偏心して回転自在に取り付けられていることを特徴としている。
【００１１】
また、請求項４に記載の一対の揉み玉は、前記請求項３に記載の夫々の支柱に偏心して回転自在に取り付けられた一対の揉み玉の偏心幅が、１ｍｍ〜５ｍｍであることを特徴としている。
【００１２】
また、請求項５に記載の一対の揉み玉は、前記回転台の表面に対して側面視でも傾斜して突設された一対の支柱の先端に夫々取り付けられていることを特徴としている。
【００１３】
また、請求項６に記載の一対の揉み玉は、前記請求項５に記載の一対の揉み玉の傾斜角が、前記回転台の表面に対して４５°〜９０°であることを特徴としている。
【００１４】
また、請求項７に記載の一対の揉み玉は、前記回転台の表面から高低差を設けて取り付けられていることを特徴としている。
【００１５】
また、請求項８に記載の一対の揉み玉は、前記請求項７に記載の一対の揉み玉の前記回転台の表面からの高低差が、１〜１０ｍｍであることを特徴としている。
【００１６】
また、請求項９に記載の一対の揉み玉は、大小一対の大揉み玉及び小揉み玉からなることを特徴としている。
【００１７】
また、請求項１０に記載の一対の揉み玉は、前記請求項９に記載の大揉み玉の直径が４０ｍｍであり、小揉み玉の直径が３０ｍｍであることを特徴としている。
【００１８】
また、請求項１１に記載の一対の揉み玉は、夫々の頂点の前記回転台の回転によって取る円運動の軌跡が前記回転台の軸心から径方向に異なるように内径側揉み玉及び外径側揉み玉として取り付けられていることを特徴としている。
【００１９】
また、請求項１２に記載の一対の揉み玉は、前記請求項１１に記載の回転台の軸心からの一対の揉み玉の頂点までの径が、内径側揉み玉が半径１５〜５５ｍｍであり、外径側揉み玉が半径２０〜６０ｍｍであり、外径側揉み玉の方が内径側揉み玉よりも前記回転台の軸心に対して外側に取り付けられていることを特徴としている。
【００２０】
また、請求項１３に記載の一対の揉み玉は、前記一対の揉み玉の表面が、クロムメッキ加工されていることを特徴としている。
【００２１】
さらに、請求項１４に記載のマッサージ装置は、前記請求項１乃至１３に記載の一対の揉み玉を備えたことを特徴としている。
【考案の効果】
【００２２】
本考案に係る請求項１乃至４に記載の一対の揉み玉によれば、回転台の表面に正面視で左右側面方向にＶ字状に傾斜して突設された支柱の先端に、夫々球形に形成された揉み玉が取り付けられていることにより、また、当該揉み玉が回転自在に取り付けられていることにより、回転台の表面に傾斜した支柱に取り付けられた一対の揉み玉が、その側面でも十分に使用者の身体表面に接するため、より確実に強加圧のマッサージすることができ、さらに、楕円球形の揉み玉と組み合わせることにより立体的で変化に富んだ揉みほぐし効果のあるマッサージを行うことができる。
【００２３】
また、前記回転台の表面に正面視で左右側面方向にＶ字状に傾斜して突設された支柱の先端に、夫々偏心して回転自在に一対の揉み玉を取り付けたことにより、前記回転台の回転によって一対の揉み玉が回転運動するだけでなく、使用者の身体表面に一対の各揉み玉が接触した際に偏心回転による上下運動をも行うため、立体的で複雑なマッサージを行うことができるとともに、一対の揉み玉が上下運動により上方に移動した際には、使用者の身体表面に強加圧のマッサージを行うことができ、まるでマッサージ施術師による手の親指加圧のマッサージを受けたかのような変化のある揉み心地を得ることができる。
【００２４】
また、請求項５及び６に記載の一対の揉み玉によれば、前記一対の揉み玉を側面視で前記回転台の表面に対して傾斜して取り付けたことにより、正面方向にも傾斜した一対の揉み玉がより複雑に回転及び偏心回転するため、さらに一層立体的で複雑な揉みほぐし効果のあるマッサージを行うことができる。
【００２５】
また、請求項７及び８に記載の一対の揉み玉によれば、前記一対の揉み玉を前記回転台の表面からの高低差を設けて取り付けたことにより、一対の揉み玉が夫々身体表面に加圧する力に差が生じるため、加圧力に強弱の差が生じ、より一層立体的で複雑な揉みほぐし効果のあるマッサージを行うことができる。
【００２６】
また、請求項９及び１０に記載の一対の揉み玉によれば、前記一対の揉み玉を大小一対の大揉み玉及び小揉み玉で形成したことにより、大揉み玉及び小揉み玉による身体表面への加圧力に差が生じるため、より一層立体的で強弱に変化のある揉みほぐし効果のあるマッサージを行うことができる。
【００２７】
また、請求項１１及び１２に記載の一対の揉み玉によれば、内径側揉み玉及び外径側揉み玉として夫々の頂点の取る軌跡が径方向に異なるように取り付けたことにより、使用者の身体表面に対して広範囲で複雑な揉みほぐし効果のマッサージを効率的に行うことができる。
【００２８】
また、請求項１３に記載の一対の揉み玉によれば、前記一対の揉み玉にクロムメッキ加工を施したことにより、光沢によって美観を向上させるだけでなく、当該一対の揉み玉の使用時に布等のカバーを被覆した際、回転する一対の揉み玉による摩擦で当該カバーを破損等することを防止することができ、当該カバーを長く使用することができる。
【００２９】
さらに、請求項１４に記載のマッサージ装置によれば、前記一対の揉み玉を備えたことにより、立体的で複雑な、且つ、変化のある強加圧の揉みほぐし効果を得ることのできるマッサージを行うことができる。
【図面の簡単な説明】
【００３０】
【図１】本考案に係る一対の揉み玉を回転台に取り付けた状態を示す正面図である。
【図２】当該一対の揉み玉を示す平面図である。
【図３】当該一対の揉み玉を示す右側面図である。
【図４】当該一対の揉み玉を示すＺ−Ｚ断面図である。
【図５】当該一対の揉み玉が回転する様子を示す正面図である。
【図６】当該一対の揉み玉に高低差を設けた状態を示す正面図である。
【図７】当該一対の揉み玉を大小一対の揉み玉とした状態を示す正面図である。
【図８】当該一対の揉み玉が径方向に異なって取り付けられている状態を示す平面図である。
【図９】本考案に係るマッサージ装置の外観斜視図である。
【図１０】当該マッサージ装置の内部構造を示す底面図である。
【図１１】他の実施例のマッサージ装置を示す外観斜視図である。
【図１２】他の実施例のマッサージ装置を示す外観斜視図である。
【図１３】他の実施例のマッサージ装置を示す平面図である。
【考案を実施するための形態】
【００３１】
以下、図面に基づいて本考案を具体的に説明する。まず、図１は、本考案に係る一対の揉み玉１を回転台２の上面に取り付けた状態を示す正面図であり、図２は、当該一対の揉み玉１を示す平面図である。当該一対の揉み玉１は、左揉み玉１ａと右揉み玉１ｂから構成されており、両揉み玉とも下端に支柱３へ取り付けるための孔１ｃ（図４の断面図を参照。）を設けた球形に形成されている。当該各孔１ｃは、球形の左揉み玉１ａ及び右揉み玉１ｂが偏心して回転するように当該球形の中心軸からズレて形成されている。
【００３２】
当該一対の揉み玉１は、夫々直径４０ｍｍの球形に形成されているが、当該サイズに限定されるものではなく、種々の使用者等が所望するサイズで形成してもよい。また、当該一対の揉み玉１は、左揉み玉１ａ及び右揉み玉１ｂともに球形に形成されているが、ラグビーボール状の楕円球形（図示せず。）に形成してもよく、球形と楕円球形の組み合わせで構成してもよく、このように球形又は楕円球形の揉み玉を組み合わせて使用することにより、より立体的で変化に富んだ揉み効果を得ることができる。
【００３３】
また、当該球形又は楕円球形に形成した一対の揉み玉１は、偏心回転ではなく、単に傾斜して回転自在に取り付けられた場合であっても、球形又は楕円球形に形成したことにより、その側面でも十分に使用者の身体表面に接触することができる。そのため、より確実に強加圧のマッサージを行うことができるとともに、球形と楕円球形とを組み合わせることにより立体的で変化に富んだ揉みほぐし効果のあるマッサージを行うことができる。また、当該球形又は楕円球形に形成した一対の揉み玉１は、回転せずともその側面で十分に使用者の身体表面に接触するため、確実に強加圧のマッサージを行うことができるという同様の効果を奏することができる。
【００３４】
当該一対の揉み玉１は、夫々回転台２の表面に突設された支柱３の先端に前記孔１ｃを嵌め込むことによって回転自在に取り付けられる。また、当該支柱３は、回転台２の表面から正面視でＶ字状に傾斜して突設されている。なお、当該支柱のＶ字状は、正面視で６５°の角度となるように傾斜して突設されているが、当該６５°の角度に限定されるものではなく、種々の使用者等が所望する角度で形成してもよい。
【００３５】
図３は、当該回転台２に取り付けた一対の揉み玉１を示す右側面図である。当該図３に示す通り、当該一対の揉み玉１は、支柱３の傾斜によって前記回転台２の表面に対して側面視で正面方向に傾斜して取り付けられている。当該一対の揉み玉１は、回転台２の表面に対して側面視で７５°の角度で傾斜して取り付けられるが、使用者の身体サイズや使用目的等に応じて、最適なマッサージ効果を得るために、４５°から９０°の傾斜角で取り付けることもできる。
【００３６】
図４は、当該一対の揉み玉１の支柱３への取り付け状態を示すＺ−Ｚ断面図である。当該断面視の左揉み玉１ａは、偏心回転するように、図示の通り、球形の左揉み玉１ａの中心に対してズレた状態で支柱３へ取り付けられている。当該偏心幅αは、本実施例では、２ｍｍで形成されているが、種々の使用者等が所望する偏心幅αとしては、最適な効果を奏するべく１ｍｍ〜５ｍｍの幅で構成することもできる。
【００３７】
図５は、当該一対の揉み玉１が偏心回転する様子を示す正面図である。当該傾斜して取り付けられ偏心回転する一対の揉み玉１は、使用者の身体表面に接触した際、前記回転台２の回転によって偏心回転し、図中の破線で示すように、回転運動のみならず、回転台２の内側方向へと上下運動を行う。
【００３８】
このように、偏心回転自在に取り付けられた一対の揉み玉１は、前記回転台２の回転に応じて回転するとともに、使用者の身体表面に接した際に、当該支柱３を軸芯として偏心回転し、さらに上下運動をも行うことから、立体的で複雑な揉みほぐし効果を得ることのできるマッサージを行うことができ、且つ、上下運動した際に、使用者の身体表面に強加圧のマッサージを行うことができ、まるでマッサージ施術師による手の親指加圧のマッサージを受けたかのような変化のある揉み心地を得ることができる。
【００３９】
図６は、当該一対の揉み玉１に高低差βを設けた状態を示す正面図である。当該一対の揉み玉１は、左揉み玉１ａが右揉み玉１ｂよりも回転台からの高さが高くなるように取り付けられている。当該高低差βは、本実施例では、左揉み玉１ａが右揉み玉１ｂよりも６ｍｍ高くなるように取り付けられている。これにより、より高い左揉み玉１ａが右揉み玉１ｂよりも強い加圧のマッサージを行うために、より立体的で強弱に変化のある揉みほぐし効果を得ることができる。当該高低差βは、６ｍｍに限られるものではなく、最適なマッサージ効果を奏するには１〜１０ｍｍとするのが好ましく、さらに、必要とあればそれ以上に高低差βを設けてもよい。また、左揉み玉１ａよりも右揉み玉１ｂを高くなるように取り付けても同様の効果を得ることができる。
【００４０】
図７は、当該一対の揉み玉１を大小のサイズの異なる一対の揉み玉１としたものを示す正面図である。本実施例では、左揉み玉１ａを大揉み玉とし、右揉み玉１ｂを小揉み玉として構成した。当該一対の揉み玉１の左揉み玉１ａの直径γは、４０ｍｍであり、右揉み玉１の直径δは、３０ｍｍである。これにより、大揉み玉及び小揉み玉による身体表面への加圧力に差が生じるため、より一層立体的で複雑な揉みほぐし効果のあるマッサージを行うことができる。なお、左揉み玉１ａを小揉み玉とし、右揉み玉１ｂを大揉み玉としても同様の効果を得ることができる。また、一対の揉み玉１のサイズは、当該サイズを最適とするが、これに限られるものではなく、種々の使用者等の所望に応じて変更してもよい。
【００４１】
次に、図８は、当該一対の揉み玉１が回転台２の軸心Ａから径方向に異なった距離幅で取り付けられている状態を示す平面図である。当該一対の揉み玉１は、図８に示すように、回転台２の回転による左揉み玉１ａの頂点Ｂ及び右揉み玉１ｂの頂点Ｃの円運動が取る軌跡が異なるように取り付けられ、本実施例では、前記右揉み玉１ｂが左揉み玉１ａよりも回転台２の軸心から外側となるように取り付けられ、左揉み玉１ａの頂点Ｂが図中の矢印Ｘの軌跡を取り、右揉み玉１ｂの頂点Ｂが図中の矢印Ｙの軌跡を取るように構成されている。当該左揉み玉１ａの頂点Ｂ及び右揉み玉１ｂの頂点Ｃが取る回転台の軸心からの距離幅は、内径側の左揉み玉１ａは３４．５ｍｍであり、外径側の右揉み玉１ｂは３６．５ｍｍである。なお、当該一対の揉み玉１の頂点Ｂ及びＣの回転台２の軸心Ａからの距離幅は、これに限られるものではなく、最適な効果を奏するためには、内径側の左揉み玉１ａが１５ｍｍ〜５５ｍｍ、外径側の右揉み玉１ｂが２０ｍｍ〜６０ｍｍで、内径側揉み玉の方が外径側揉み玉よりも内側になるように構成することができ、また、必要に応じてさらに距離幅を広げてもよい。
【００４２】
このように、内径側揉み玉及び外径側揉み玉として夫々の頂点Ｂ及びＣの取る軌跡が径方向に異なるように取り付けたことにより、一対の揉み玉１による揉みほぐしの範囲を広げることができ、使用者の身体表面に対して広範囲で複雑な揉みほぐし効果のマッサージを効率的に行うことができる。なお、内径側の揉み玉を右揉み玉１ｂとし、外径側の揉み玉を左揉み玉１ａとしても同様の効果を得ることができる。
【００４３】
そして、前記傾斜させて取り付けた一対の揉み玉１の構成、前記支柱３の先端に偏心幅αで偏心して回転自在に取り付けられた一対の揉み玉１の構成、前記球形又は楕円球形に形成された一対の揉み玉１の構成、前記回転台２の表面から高低差βを設けて取り付けられた一対の揉み玉１の構成、前記大小一対の大揉み玉及び小揉み玉からなる一対の揉み玉１の構成、前記回転台２の回転によって取る円運動の軌跡Ｘ及び軌跡Ｙが径方向に異なる一対の揉み玉１の構成、これらの構成を組み合わせることにより、使用者が最も所望する最適で変化に富んだ揉みほぐし効果のある一対の揉み玉１を構成することができる。
【００４４】
また、図示はしないが、当該一対の揉み玉１は、その表面にクロムメッキ加工を施すことができる。当該一対の揉み玉１の表面にクロムメッキ加工を施すことにより、光沢によって美観を向上させるだけでなく、当該一対の揉み玉の使用時に布等のカバーを被覆した際、回転する一対の揉み玉による摩擦で当該カバーを破損等することを防止することができ、当該カバーを長く使用することができる。
【００４５】
次に、前記一対の揉み玉１を備えたマッサージ装置１０について説明する。
【００４６】
図９は、当該マッサージ装置１０を示す外観斜視図である。当該マッサージ装置１０は、ハウジング１１と、当該ハウジング１１内に内蔵された駆動モーター１２と、当該駆動モーター１２から回転運動が伝達されて回転する左右の回転台２と、当該回転台２の上面に支柱３を介して取り付けられた前記一対の揉み玉１とから構成される。当該一対の揉み玉１は、マッサージ装置１０の左右に設けた回転台２の上面に夫々設けられており、駆動モーター１２の駆動によって回転台２が回転するのに伴って、一対の揉み玉１が回転し、使用者の身体表面に対してマッサージを行う。
【００４７】
図１０は、当該マッサージ装置１０に係るハウジング１１の内部構造を示す底面図である。なお、当該図１０では、当該ハウジング１１の内部構造を容易に把握すべく、底面視からの表現により当該内部構造を示す。ハウジング１１内の中央部に配設された駆動モーター１２は、電動の単軸モーターで構成されており、当該単軸の先端にはネジ溝が掘られ、ウォームギア１３として形成されている。当該左右のウォームギア１３の近傍には、ハウジング１１に取り付けられた軸棒１４が設けられ、当該軸棒１４に左右の二段歯車１５が回転可能に軸支されている。当該二段歯車１５は、上段の径の大きいはすば歯車１５ａと下段の径の小さい小歯車１５ｂとが形成されており、はすば歯車１５ａが前記ウォームギア１３と夫々噛み合っている。一方、下段の小歯車１５ｂは、平歯車１６と夫々噛み合うように構成されている。そして、当該平歯車１６、１６を回転可能に軸支する回転軸１７の上端には、前記回転台２がその中心位置で載置されて固定されている。このような内部構成によって、駆動モーター１２による回転運動が左右の回転台２へと伝達される。
【００４８】
なお、当該駆動モーター１２の回転運動を伝達するための構成は前記内部構成に限られるものではなく、当該駆動モーター１２の回転運動を左右の回転台２に伝達できればどのような構成であってもよい。
【００４９】
このように構成したマッサージ装置１０によれば、左右の回転台２の表面に取り付けられた一対の揉み玉１が身体の主として首部又は足部や肩部等に前記一対の揉み玉１が奏する揉みほぐし効果のあるマッサージを行うことができる。
【００５０】
次に、当該一対の揉み玉１を備えたマッサージ装置１０の実施例について説明する。
【００５１】
図１１に示すように、当該マッサージ装置１０は、クッション等に内蔵して使用することができる。発泡ウレタン等の通常用いられるクッション素材２０と当該クッション素材２０を被覆するクッションカバー（図示せず。）からなるクッションにおいて、当該クッション素材２０に前記マッサージ装置１０を嵌め込み可能な陥没部２１を設け、当該陥没部２１にマッサージ装置１０を一対の揉み玉１が露出するように嵌め込み、前記クッションカバーでクッション素材２０及びマッサージ装置１０を被覆することでクッションを形成する。このように、マッサージ装置１０をクッションに内蔵することにより、上記のマッサージ効果を備えたマッサージクッションを自由に持ち運んで使用することができ、クッションカバーに装飾等を施せば美観性に優れ、部屋のインテリアとして載置することもできる。
【００５２】
この際、一対の揉み玉１の表面にクロムメッキ加工を施すことにより、当該一対の揉み玉１が回転して前記クッションカバーに擦れても、摩擦によって一対の揉み玉１がクッションカバーを破損等することを防止することができ、当該クッションカバーを長く使用することができる。
【００５３】
図１２は、他の実施例のマッサージ装置１０を示す外観斜視図である。当該マッサージ装置１０は、使用者の主として首部をマッサージするためのネックマッサージャーであって、当該マッサージ装置１０に合成樹脂製で略鼓形状に形成した鼓型カバー２２を被覆して使用する。当該マッサージ装置１０は、当該首部のマッサージに適用するために前記実施例とは異なる形態で形成されるが、上部に取り付けた回転台２が回転可能に構成すればどのような形態であってもよい。当該ネックマッサージャーの使用時には、さらに布等の第二カバー（図示せず。）をマッサージ装置１０及び鼓型カバー２２の表面に被覆して使用する。
【００５４】
当該ネックマッサージャーとしてのマッサージ装置１０によれば、使用者の主として首部に対して、立体的で複雑なマッサージを行うことができ、さらには、使用者の首部に強加圧のマッサージを行うことができ、まるでマッサージ施術師による親指加圧のマッサージを受けたかのような変化のある揉み心地のマッサージを行うことができる。
【００５５】
また、図１３は、他の実施例のマッサージ装置１０を示す平面図である。当該マッサージ装置１０は、その上面に４つの回転台２が取り付けられており、前記実施例のマッサージ装置１０に比して広範囲で、８つの揉み玉による強加圧のマッサージを行うことができる。このように、回転台２は、マッサージ装置２の上面に２つ以上設けてもよく、各回転台２が回転可能に構成されていれば、当該回転台２の設置個数は限定されない。当該マッサージ装置１０は、前記図１１で示したクッション素材２０と同様に、クッション素材２０に陥没部２１を設け、当該陥没部２１に嵌め込み、クッションカバー等で被覆することによりクッションとして使用することができる。
【産業上の利用可能性】
【００５６】
本考案に係るマッサージ装置１０は、前記クッション以外にもソファやチェアなどに内蔵して利用することができる。
【符号の説明】
【００５７】
１    一対の揉み玉
１ａ  左揉み玉
１ｂ  右揉み玉
１ｃ  孔
２    回転台
３    支柱
１０    マッサージ装置
１１    ハウジング
１２    駆動モーター
１３    ウォームギア
１４    軸棒
１５    二段歯車
１５ａ  はすば歯車
１５ｂ  小歯車
１６    平歯車
１７    回転軸
２０    クッション素材
２１    陥没部
２２    鼓型カバー
α      偏心幅
β      高低差
γ      直径
δ      直径
Ａ      軸心
Ｂ      頂点
Ｃ      頂点
Ｘ      矢印
Ｙ      矢印
【図１】
0003188515.tif 000003
【図２】
0003188515.tif 000004
【図３】
0003188515.tif 000005
【図４】
0003188515.tif 000006
【図５】
0003188515.tif 000007
【図６】
0003188515.tif 000008
【図７】
0003188515.tif 000009
【図８】
0003188515.tif 000010
【図９】
0003188515.tif 000011
【図１０】
0003188515.tif 000012
【図１１】
0003188515.tif 000013
【図１２】
0003188515.tif 000014
【図１３】
0003188515.tif 000015
【手続補正書】
【提出日】平成25年11月14日(2013.11.14)
【手続補正１】
【補正対象書類名】実用新案登録請求の範囲
【補正対象項目名】請求項５
【補正方法】変更
【補正の内容】
【請求項５】
前記一対の揉み玉は、側面視でも前記回転台の表面に対して傾斜して突設された一対の支柱の先端に取り付けられていることを特徴とする請求項１乃至４のいずれかに記載の一対の揉み玉。
【手続補正２】
【補正対象書類名】実用新案登録請求の範囲
【補正対象項目名】請求項１４
【補正方法】変更
【補正の内容】
【請求項１４】
請求項１乃至１３のいずれかに記載の一対の揉み玉を備えたことを特徴とするマッサージ装置。
【手続補正３】
【補正対象書類名】明細書
【補正対象項目名】００２１
【補正方法】変更
【補正の内容】
【００２１】
さらに、請求項１４に記載のマッサージ装置は、前記請求項１乃至１３のいずれかに記載の一対の揉み玉を備えたことを特徴としている。